(57)【要約】【課題】会議通話に参加している端末装置の状態を知ることができる会議システムおよび端末装置を提供する。【解決手段】会議サーバ１は、会議通話が開始したり、会議通話に参加していた端末装置が会議通話を終話にしたりするなど会議通話に参加する端末装置２の数量の変化に応じて端末装置リストを生成し、これを当該会議通話に参加している端末装置２に対して送信する。端末装置リストを受信した端末装置２は、その端末装置リストに基づいて会議通話に参加している他の端末装置２の状態を検出し、この検出結果に基づいて表示部の表示を変更する。これにより、端末装置２のユーザは、会議通話に参加している端末装置２を容易に識別することができる。【選択図】  図４
2008252830.tif 000002
【特許請求の範囲】
【請求項１】
ネットワークを介して音声データの送受信を行う複数の端末装置と、前記ネットワークを介して受信した音声データを編集し、この編集した音声データを前記ネットワークに送信するサーバ装置とを備え、前記ネットワークを介して前記複数の端末装置と前記サーバ装置との間で音声データの送受信を行うことにより、前記複数の端末装置が参加する会議通話を実現する会議システムであって、
前記サーバ装置は、
１の会議通話に参加している端末装置の端末装置リストを生成するリスト生成部と、
前記端末装置リストを当該会議通話に参加している端末装置に送信するインターフェース部と
を備え、
前記端末装置は、
前記サーバ装置から受信する前記端末装置リストに基づいて、前記会議通話に参加している端末装置を表示装置に表示させる表示制御部と
を備えることを特徴とする会議システム。
【請求項２】
前記リスト生成部は、前記会議通話に参加している端末装置の数が変化すると前記端末装置リストを生成する
ことを特徴とする請求項１記載の会議システム。
【請求項３】
前記端末装置は、
呼制御に関するユーザの操作入力を検出する複数の操作検出装置
をさらに備え
前記表示装置は、前記操作検出装置毎に設けられ、
前記表示制御部は、前記会議通話に参加する端末装置毎に前記表示装置を対応付る
ことを特徴とする請求項１または２記載の会議システム。
【請求項４】
前記端末装置は、
同じ前記会議通話に参加する端末装置との呼を制御する呼制御部
をさらに備え、
前記表示制御部は、前記会議通話に参加する端末装置との呼制御の状態に応じて、前記表示装置の表示を制御する
ことを特徴とする請求項１乃至３の何れか１項に記載の会議システム。
【請求項５】
ネットワークを介して複数の端末装置とサーバ装置との間で音声データの送受信を行うことにより、前記複数の端末装置が参加する会議通話を実現する会議システムの端末装置であって、
前記ネットワークを介して受信した前記会議通話に参加している端末装置に関する端末装置リストに基づいて、当該会議通話に参加している端末装置を表示装置に表示させる表示部
を備えることを特徴とする端末装置。
【発明の詳細な説明】
【技術分野】
【０００１】
本発明は、複数の端末装置と同時に通話を行うことができる会議システムに関するものである。
【背景技術】
【０００２】
従来より、ネットワークを介して複数の端末装置間で同時に通話を行う会議通話を実現する会議システムが提案されている（例えば、特許文献１参照。）。このシステムにおいて会議通話を行う場合、まず、各端末装置は、通信サーバに接続し、ユーザから入力された音声に基づく音声データを通信サーバに送信する。この通信サーバでは、各端末装置から受信した音声データを編集処理して１つの音声データを生成し、これを各端末装置に返送する。返送された音声データに基づく音声を出力することにより、各端末装置では、通信サーバに接続された端末装置間で会議通話を行うことができる。
【０００３】
【特許文献１】特開平７−１２３０９０号公報
【発明の開示】
【発明が解決しようとする課題】
【０００４】
しかしながら、従来のシステムでは、会議通話に参加する端末装置間ではなくサーバ装置と音声データの送受信を行うことにより会議通話を実現しているため、会議通話に参加する他の端末装置の状態を知ることができなかった。このため、例えば、会議通話に参加していた他の端末装置全てが会議通話を終了しても、これに気づかないことがあった。
【０００５】
そこで、本願発明は、会議通話に参加している端末装置の状態を知ることができる会議システムおよび端末装置を提供することを目的とする。
【課題を解決するための手段】
【０００６】
上述したような課題を解決するために、本発明に係る会議システムは、ネットワークを介して音声データの送受信を行う複数の端末装置と、ネットワークを介して受信した音声データを編集し、この編集した音声データをネットワークに送信するサーバ装置とを備え、ネットワークを介して複数の端末装置とサーバ装置との間で音声データの送受信を行うことにより、複数の端末装置が参加する会議通話を実現する会議システムであって、サーバ装置は、１の会議通話に参加している端末装置の端末装置リストを生成するリスト生成部と、端末装置リストを当該会議通話に参加している端末装置に送信するインターフェース部とを備え、端末装置は、サーバ装置から受信する端末装置リストに基づいて、会議通話に参加している端末装置を表示装置に表示させる表示制御部とを備えることを特徴とする。
【０００７】
上記会議システムにおいて、リスト生成部は、会議通話に参加している端末装置の数が変化すると端末装置リストを生成するようにしてもよい。
【０００８】
上記会議システムにおいて、端末装置は、呼制御に関するユーザの操作入力を検出する複数の操作検出装置をさらに備え表示装置は、操作検出装置毎に設けられ、表示制御部は、会議通話に参加する端末装置毎に表示装置を対応付るようにしてもよい。
【０００９】
上記会議システムにおいて、端末装置は、同じ会議通話に参加する端末装置との呼を制御する呼制御部をさらに備え、表示制御部は、会議通話に参加する端末装置との呼制御の状態に応じて、表示装置の表示を制御するようにしてもよい。
【００１０】
また、本発明に係る端末装置は、ネットワークを介して複数の端末装置とサーバ装置との間で音声データの送受信を行うことにより、複数の端末装置が参加する会議通話を実現する会議システムの端末装置であって、ネットワークを介して受信した会議通話に参加している端末装置に関する端末装置リストに基づいて、当該会議通話に参加している端末装置を表示装置に表示させる表示部を備えることを特徴とする。
【発明の効果】
【００１１】
本発明によれば、会議通話に参加している端末装置に関する端末装置リストに基づいて、当該会議通話に参加している端末装置が表示部に表示されるので、端末装置のユーザは当該会議通話に参加している端末装置の状態を知ることができる。
【発明を実施するための最良の形態】
【００１２】
［会議システム］
以下、図面を参照して本発明の実施の形態について詳細に説明する。図１に示すように、本実施の形態に係る会議システムは、会議サーバ１と、端末装置２ａ〜２ｄと、公知のＳＩＰサーバ３とから構成され、それぞれは、ＬＡＮ（Local Area Network）、ＷＡＮ（Wide Area Network）、インターネット、電話回線等の通信回線からなるネットワーク４を介して接続されている。なお、本実施の形態では、４つの端末装置２ａ〜２ｄが設けられているが、端末装置２ａ〜２ｄの数量は４つに限定されず、適宜自由に設定することができる。便宜上、以下の説明において、端末装置２ａ〜２ｄを端末装置２として説明する。
【００１３】
＜会議サーバ＞
会議サーバ１は、図２に示すように、Ｉ／Ｆ部１１ａ〜１１ｄと、編集処理部１２と、制御部１３とから構成される。
【００１４】
Ｉ／Ｆ部１１ａ〜１１ｄは、通信回路からなり、通信回線１１ａ−１〜１１ｄ−１を介してネットワーク４に接続されている。これにより、ネットワーク４を介して端末装置２およびＳＩＰサーバ３とデータ通信を行い、各装置と音声データや制御信号などの各種データをやりとりする。このようなＩ／Ｆ部１１ａ〜１１ｄは、会議システムに参加する端末装置２の数量だけ設けられる。したがって、図１に示す会議システムの場合、４つの端末装置２ａ〜２ｄが設けられているので、図２に示すように４つのＩ／Ｆ部１１ａ〜１１ｄが設けられている。
【００１５】
編集処理部１２は、信号処理回路からなり、Ｉ／Ｆ部１１ａ〜１１ｄから入力された音声データを合成して１つの音声データ（以下、会議データという）を生成し、これをＩ／Ｆ部１１ａ〜１１ｄを介して各端末装置２へ送信する。
【００１６】
制御部１３は、ＣＰＵなどのマイクロプロセッサとその周辺回路からなり、会議サーバ１に設けられた記憶装置（図示せず）から動作プログラムを読み込んで実行することにより、上記ハードウェアとプログラムを協働させ、動作制御部１３ａおよびリスト生成部１３ｂを実現させる。
【００１７】
動作制御部１３ａは、Ｉ／Ｆ部１１ａ〜１１ｃおよび編集処理部１２の動作や端末装置２ａ〜２ｃおよびＳＩＰサーバ３との間のデータ通信を制御する。
リスト生成部１３ｂは、会議通話に参加する端末装置に関する端末装置リストを生成する。この端末装置リストとは、同一の会議通話に参加する端末装置２の一覧からなり、例えばＩＰアドレス、電話番号、内線番号、氏名など各端末装置２を識別するための情報を含むものである。このような端末装置リストは、ＳＩＰサーバ３から受信する情報や端末装置２に予め記憶された電話帳などに基づいて生成することができる。なお、端末装置リストには、会議サーバ１により実現される複数の会議通話のうち、何れの会議通話であるかを識別する識別番号（以下、会議番号という）も含めるようにしてもよい。
【００１８】
＜端末装置＞
端末装置２は、Ｉ／Ｆ部２１と、音声処理部２２と、操作入力部２３と、表示部２４と、記憶部２５と、制御部２６と、ＨＳ（Hand Set）２７と、ＳＰ（Speaker）２８とを備えている。
【００１９】
Ｉ／Ｆ部２１は、通信回路からなり、通信回線２１ａを介してネットワーク４に接続されている。これにより、ネットワーク４を介して会議サーバ１、他の端末装置２およびＳＩＰサーバ３とデータ通信を行い、各装置と音声データや制御信号などの各種データをやりとりする。このようなＩ／Ｆ部２１は、同時に複数の通話パスを確立することが可能である。これにより、例えば会議サーバ１と他の端末装置２など、同時に複数の装置との間でデータ通信を行うことができる。
【００２０】
音声処理部２２は、信号処理回路からなり、Ｉ／Ｆ部２１から入力された音声データを復号化してＨＳ２７またはＳＰ２８から出力させるとともに、ＨＳ２７から入力された音声信号を音声データに符号化してＩ／Ｆ部２１に出力する。
【００２１】
操作入力部２３は、ダイヤルキー、機能キー、フックスイッチなどの操作入力装置からなり、ユーザの操作を検出して制御部２６に出力する。
【００２２】
表示部２４は、ＬＥＤ（Light Emitting Diode）やＬＣＤ（Liquid Crystal Display）などの表示装置からなり、制御部２６からの指示に応じて通話状態などの各種可視表示を行う。ここで、ＬＥＤ等の表示装置は、操作入力部２３を構成する機能キーに設けるようにしてもよい。
【００２３】
記憶部２５は、メモリやハードディスクなどの記憶装置からなり、制御データ２５ａ、端末装置リスト２５ｂおよびプログラム２５ｃを格納する。ここで、制御データ２５ａは、端末装置２の制御に用いる情報である。また、端末装置リスト２５ｂは、会議サーバ１から受信する端末装置リストから構成される。また、プログラム２５ｃは、端末装置２の動作プログラムであり、予め記憶部２５に格納される。なお、プログラム２５ｃは、ＤＶＤ（Digital Versatile Disk）やＣＤ（Compact Disk）等の記録媒体やネットワークを介して記憶部２５に格納するようにしてもよい。
【００２４】
制御部２６は、ＣＰＵなどのマイクロプロセッサとその周辺回路からなり、記憶部２５からプログラム２５ｃを読み込んで実行することにより、上記ハードウェアとプログラム２５ｃを協働させ、呼制御部２６ａ、検出部２６ｂおよび表示制御部２６ｃを実現させる。
【００２５】
呼制御部２６ａは、記憶部２５の制御データ２５ａに基づいてＩ／Ｆ部２１や音声処理部２２の動作を制御することにより、他の装置との間の呼を制御する。これにより、会議サーバ１を利用した会議通話や他の端末装置との通話が実現される。このような呼制御部２６ａは、例えば会議サーバ１と他の端末装置２など、同時に複数の呼を制御することができる。
【００２６】
検出部２６ｂは、記憶部２５の端末装置リスト２５ｂに基づいて、会議通話に参加している端末装置２の状態を検出する。
【００２７】
表示制御部２６ｃは、呼制御部２６ａによる呼制御の状態および検出部２６ｂの検出結果に基づいて、表示部２４の表示状態を制御する。
【００２８】
ＨＳ（Hand Set）２７は、音声処理部２２から入力された音声信号を音声に変換して外部に出力する受話器２７ａと、ユーザ等のから発せられた音声を検出しこれを音声データに変換して音声処理部２２に入力する送話器２７ｂとから構成される。
【００２９】
ＳＰ（Speaker）２８は、音声処理部２２から入力された音声信号を音声に変換して外部に出力する。
【００３０】
［会議システムの動作］
次に、図４〜図７を参照して、本実施の形態に係る会議システムの動作について説明する。
【００３１】
＜全体の動作＞
まず、図４を参照して、会議システムの全体の動作について説明する。この図４においては、端末装置２ｃが中心となって端末装置２ａ〜２ｄ間で会議通話を開始する場合を例に説明する。
【００３２】
端末装置２ｃは、端末装置２ａ〜２ｄで会議通話を行う場合、会議通話を行う端末装置２ａ，２ｂを順次保留にした後（ステップＳ１，Ｓ２）、会議通話の参加者のうち保留にしていない最後の端末装置２ｄと通話を行う（ステップＳ３）。このような状態において、会議通話を要求する旨の操作入力を操作入力部２３が検出すると（ステップＳ４）、制御部２６の呼制御部２６ａは、ＳＩＰサーバ３に対して当該会議通話を要求する旨の制御信号（会議要求）を送信する（ステップＳ５）。
【００３３】
この制御信号を受信すると、ＳＩＰサーバ３は、端末装置２ａ〜２ｄに対して、会議通話の要求に対して応答し会議サーバ１のＩＰアドレス等を含む制御信号（会議応答）を送信する（ステップＳ６〜Ｓ９）。また、ＳＩＰサーバ３は、会議サーバ１に対して端末装置２ａ〜２ｄのＩＰアドレス等を含む制御信号（会議応答）を送信する（ステップＳ１０）。
【００３４】
制御信号を受信すると、端末装置２ａ〜２ｄの呼制御部２６ａは、Ｉ／Ｆ部２１、ネットワーク４およびＩ／Ｆ部１１ａ〜１１ｃを介して会議サーバ１との通話パスをそれぞれ形成し、この通話パスを用いて音声データの送受信を行う（ステップＳ１１〜Ｓ１４）。これにより、端末装置２ａ〜２ｃとの間の会議通話が実現される。
【００３５】
具体的には、端末装置２ａ〜２ｄのＨＳ２７の送話器２７ｂから入力された音声信号は、音声処理部２２により音声データに符号化され、Ｉ／Ｆ部２１およびネットワーク４を介して会議サーバ１に送信される。この会議サーバ１において、端末装置２ａ〜２ｄから受信した音声データは、端末装置２ａ〜２ｄにそれぞれ１対１に対応するＩ／Ｆ部１１ａ〜１１ｄから編集処理部１２に入力され、この編集処理部１２により１つの音声データからなる会議データに合成される。この会議データは、Ｉ／Ｆ部１１ａ〜１１ｄから対応する端末装置２ａ〜２ｄに送信され、各端末装置２ａ〜２ｄの音声処理部２２により復号化されてＨＳ２７の受話器２７ａから出力される。これにより、ＨＳ２７を用いた端末装置２ａ〜２ｄ間の会議通話が実現される（ステップＳ１５〜Ｓ１８）。
【００３６】
また、会議サーバ１の制御部１３のリスト生成部１３ｂは、端末装置２ａ〜２ｄに対して端末装置リストを送信する（ステップＳ１９〜Ｓ２２）。この端末装置リストには、端末装置２ａ〜２ｄに関する情報が含まれる。このような端末装置リストは、端末装置２ａ〜２ｄの記憶部２５に端末装置リスト２５ｂとして記憶される。
【００３７】
端末装置リストを受信すると、端末装置２ａ〜２ｄの検出部２６ｂは、会議通話に参加している端末装置２を検出する。この検出結果に基づいて、表示制御部２６ｃは、表示部２４の表示状態を変更する。例えば、図５に示すように、端末装置２の本体に設けられた機能キー２３ａと端末装置リストに掲載されている端末装置２とを１対１に対応付け、各機能キー２３ａに設けられたＬＥＤの表示を変更する。このとき、機能キー２３ａと端末装置２との対応を、ＬＣＤ２４ａに表示するようにしてもよい。これにより、ユーザは、機能キー２３ａと会議通話に参加している端末装置２との対応関係を容易に認識することができる。なお、機能キー２３ａに設けられたＬＥＤの表示状態の詳細については、後述する。
【００３８】
このように端末装置２ａ〜２ｄで１つの会議通話が行われている状態において、端末装置２ｄのユーザが会議通話を終了するために、終話を要求する旨の操作入力を端末装置２ｄの操作入力部２３が検出すると（ステップＳ３１）、端末装置２ｄの制御部２６の呼制御部２６ａは、ＳＩＰサーバ３に対して当該会議通話を終話にする旨の制御信号（終話要求）を送信する（ステップＳ３２）。この制御信号を受信すると、ＳＩＰサーバ３は、会議サーバ１に対して、端末装置２ｄとの会議通話を終話にする旨を示す制御信号（終話要求応答）を送信する（ステップＳ３３）。すると、会議サーバ１と端末装置２ｄとの通話パスが切断され、端末装置２ｄの会議通話が終了する（ステップＳ３４）。
【００３９】
このとき、端末装置２ｄの表示制御部２６ｃは、表示部２４の表示状態を変更する。例えば、図５に示す機能キー２３ａと端末装置リストに掲載されていた端末装置２との対応関係を破棄し、各機能キー２３ａに設けられたＬＥＤを消灯させる。これにより、ユーザは、会議通話が終了したことを容易に認識することができる。
【００４０】
端末装置２ｄの通話パスが切断されると、会議サーバ１の制御部１３のリスト生成部１３ｂは、端末装置２ａ〜２ｃに対して端末装置リストを送信する（ステップＳ３５〜Ｓ３７）。この端末装置リストには、現在会議通話に参加している端末装置２ａ〜２ｃに関する情報が含まれる。
【００４１】
端末装置リストを受信すると、端末装置２ａ〜２ｄの検出部２６ｂは、受信した端末装置リストと端末装置リスト２５ｂに格納された前回受信した端末装置リストとを比較し、会議通話に参加している端末装置２を検出する。この検出結果に基づいて、表示制御部２６ｃは、表示部２４の表示状態を変更する（ステップＳ３８〜Ｓ４０）。例えば、図５に示す機能キー２３ａのうち端末装置２ｄと対応付けられていた機能キー２３ａと、端末装置２ｄとの対応関係を破棄し、その機能キー２３ａのＬＥＤを消灯させる。これにより、端末装置２ａ〜２ｃのユーザは、端末装置２ｄが会議通話を終話にしたことを容易に認識することができる。
【００４２】
このように、本実施の形態によれば、会議サーバ１の制御部１３のリスト生成部１３ｂは、会議通話が開始したり、会議通話に参加していた端末装置が会議通話を終話にしたりするなど会議通話に参加する端末装置２の数量の変化に応じて端末装置リストを生成し、これを当該会議通話に参加している端末装置２に対して送信する。端末装置リストを受信した端末装置２は、検出部２６ｂによりその端末装置リストに基づいて会議通話に参加している他の端末装置２の状態を検出し、この検出結果に基づいて表示制御部２６ｃにより表示部２４の表示を変更する。これにより、端末装置２のユーザは、会議通話に参加している端末装置２を容易に識別することができる。
【００４３】
なお、本実施の形態において、新たに端末装置２が会議通話に参加した場合にも、会議サーバ１のリスト生成部１３ｂは、端末装置リストを生成し、これを会議通話に参加している各端末装置２に送信する。これにより、端末装置２のユーザは、会議通話に新たに参加した端末装置２を容易に認識することができる。
【００４４】
また、例えば、会議通話に参加していた他の端末装置が全て会議通話を終話にすることにより、会議通話に参加している端末装置が端末装置２ａのみとなった場合、会議サーバ１のリスト生成部１３は、会議通話に参加している端末装置２が端末装置２ａのみである旨を示す端末装置リストを端末装置２ａに送信する。この場合、端末装置２ａは、検出部２６ｂおよび表示制御部２６ｃにより、例えば会議通話に参加していた他の端末装置２が対応付けられていた機能キー２３ａのＬＥＤを消灯させる。これにより、端末装置２ａのユーザは、会議通話に参加していた他の端末装置２が会議通話を終了したことを認識することが可能となる。
【００４５】
＜発信動作＞
次に、図６を参照して、会議通話中の発信動作について説明する。この図６においては、一例として、端末装置２ａ〜２ｄ間で会議通話が行われている際に、端末装置２ａが会議通話とは別の個別の通話を行うために端末装置２ｂに対して発信する場合について説明する。なお、以下において、図５に示す機能キー２３ａ−１〜２３ａ−４に端末装置２ａ〜２ｄがこの順番で対応付けられている場合を例に説明する。
【００４６】
図４を参照して説明したように、端末装置２ａ〜２ｄの制御部２６は、会議通話の開始に伴って会議サーバ１から端末装置リストを受信すると、検出部２６ｂにより当該会議通話に参加している端末装置２を検出し、表示部制御部２６ｃによりその検出結果に基づいて操作入力部２３の機能キー２３ａと会議通話に参加している端末装置２とを対応付けて、その機能キー２３ａに設けられているＬＥＤの表示を制御する。本実施の形態において、会議通話中の端末装置２ａの場合、表示制御部２６ｃは、自身が対応付けられている機能キー２３ａ−１のＬＥＤは緑色を点灯させた状態、端末装置２ｂ〜２ｄが対応付けられている機能キー２３ａ−２〜２３ａ−４のＬＥＤは赤色を点灯させた状態とする。
【００４７】
このような表示がされた端末装置２ａにおいて、操作入力部２３により例えば保留ボタンが押下されるなどの保留操作が検出されると（ステップＳ４１）、呼制御部２６ａは、会議サーバ１との通話パスを保留にする。この保留は、例えば、会議サーバ１に対して無音パケットを送信することにより行われる。
【００４８】
保留操作の後、操作入力部２３により例えば端末装置２ｂに割り付けられている機能キー２３ａ−２を押下するなどの発信操作が検出されると（ステップＳ４２）、呼制御部２６ａは、ＳＩＰサーバ３を介して端末装置２ｂに対して発信を行う。この発信操作を検出すると、表示制御部２６ｃは、機能キー２３ａ−２のＬＥＤの表示を、赤色が点灯した状態から赤色が遅く点滅した状態に変更する。これにより、端末装置２ａのユーザは、端末装置２ｂへの発信が行われていることを認識することができる。
【００４９】
この発信操作に対して端末装置２ｂが応答すると（ステップＳ４３：ＹＥＳ）、端末装置２ａの呼制御部２６ａは、端末装置２ｂと通話パスを接続して音声データの送受信を行うことにより、会議通話とは別に端末装置２ｂと個別に通話を行う（ステップＳ４４）。この端末装置２ｂと個別の通話が行われている場合、端末装置２ａの表示制御部２６ｃは、機能キー２３ａ−２のＬＥＤの表示を、赤色が遅く点滅した状態を維持する。
【００５０】
なお、会議通話中に端末装置２ｂと個別の通話を行う際、端末装置２ａ，２ｂは、音声処理部２２により会議サーバ１から受信した会議データに基づく音声信号の出力先をＨＳ２７の受話器２７ａからＳＰ２８に切り替えるとともに、無音パケットを会議サーバ１に送信させるようにしてもよい。これにより、端末装置２ａ，２ｂのＳＰ２８からは、会議サーバ１から受信した会議データに基づく音声信号、すなわち会議通話の音声が出力される。また、会議サーバ１に対しては、端末装置２ｃ，２ｄのＨＳ２７の送話器２７ｂに入力された音声信号に基づく音声データが出力されない。これにより、端末装置２ａのユーザは、会議通話を聞くことができるので、会議通話中に端末装置２ｂと個別に通話している場合であっても会議通話の内容について行くことが可能となる。
【００５１】
このとき、音声処理部２２により、端末装置２ａまたは端末装置２ｂから受信した音声データに基づく音声信号の出力先をＨＳ２７の受話器２７ａとするとともに、ＨＳ２７の送話器２７ｂから入力された音声信号に基づく音声データを端末装置２ａまたは端末装置２ｂに送信するようにしてもよい。したがって、端末装置２ａと端末装置２ｂとの間で個別の通話が行われると、端末装置２ａの送話器２７ｂから入力された音声信号が端末装置２ｂの受話器２７ａから出力されるとともに、端末装置２ｂの送話器２７ｂから入力された音声信号が端末装置２ａの受話器２７ａから出力される。これにより、会議通話に端末装置２ａと端末装置２ｂとの間で行われている個別の通話内容が含まれないので、会議通話を邪魔することを防ぐことができる。
【００５２】
上述したように個別の通話が行われた後、この個別の通話を終話にするために端末装置２ａまたは端末装置２ｂにより終話操作が行われると（ステップＳ４５：ＹＥＳ）、端末装置２ａの呼制御部２６ａは、端末装置２ｂとの通話パスを切断する（ステップＳ４６）。これにより、端末装置２ｂとの個別の通話が終話となる。このように個別の通話が終話になると、端末装置２ａの表示制御部２６ｃは、機能キー２３ａ−２のＬＥＤの表示を、赤色が遅く点滅した状態から赤色が点灯した状態に変更する。これにより、端末装置２ａのユーザは、端末装置２ｂとの個別の通話が終話になったことを認識することができる。
【００５３】
個別の通話が終話になり、操作入力部２３により会議通話に復帰するための操作入力が検出されると（ステップＳ４７：ＹＥＳ）、端末装置２ａの呼制御部２６ａは、会議サーバ１の保留を解除し、会議サーバ１との間で音声データの送受信を再開することにより、会議通話に復帰する（ステップＳ４８）。
【００５４】
このように、本実施の形態によれば、発信動作に伴う呼制御状態の変化に伴って機能キー２３ａの表示を変更することにより、端末装置２のユーザは、会議通話に参加している他の端末装置の状態を知ることができる。
【００５５】
＜着信応答動作＞
次に、図７を参照して、会議通話中の着信応答動作について説明する。この図７においては、一例として、端末装置２ａ〜２ｄ間で会議通話が行われている際に、端末装置２ｂが会議通話とは別の個別の通話を要求する端末装置２ａから着信が入った場合について説明する。なお、以下において、図５に示す機能キー２３ａ−１〜２３ａ−４に端末装置２ａ〜２ｄがこの順番で対応付けられている場合を例に説明する。このとき、会議通話中の端末装置２ａの表示制御部２６ｃは、自身が対応付けられている機能キー２３ａ−２のＬＥＤは緑色、端末装置２ａ，２ｃ，２ｄが対応付けられている機能キー２３ａ−１，３，４のＬＥＤは赤色を表示させる。
【００５６】
このような表示がされた端末装置２ｂにおいて、端末装置２ａからの着信が検出されると（ステップＳ５１）、呼制御部２６ａは、ＨＳ２７の受話器２７ａから着信が入った旨を示す着信音を会議データに基づく音声とともに出力させる。このとき、端末装置２ｂの表示制御部２６ｃは、機能キー２３ａ−１のＬＥＤの表示を、赤色が点灯した状態から赤色が早く点滅した状態に変更する。これにより、端末装置２ｂのユーザは、端末装置２ａから着信が入ったことを認識することができる。
【００５７】
機能キー２３ａ−１を押下するなど端末装置２ａからの着信に応答する旨の操作入力を操作入力部２３が検出すると（ステップＳ５２：ＹＥＳ）、端末装置２ｂの呼制御部２６ａは、端末装置２ａと通話パスを接続して音声データの送受信を行うことにより、会議通話とは別に端末装置２ａと個別に通話を行う（ステップＳ５３）。このように着信に対して応答すると、表示制御部２６ｃは、機能キー２３ａ−１のＬＥＤの表示を、赤色が早く点滅した状態から赤色が遅く点滅した状態に変更する。これにより、端末装置２ｂのユーザは、端末装置２ａとの個別の通話が行われていることを認識することができる。
【００５８】
端末装置２ａまたは端末装置２ｂにより終話操作が行われると（ステップＳ５４：ＹＥＳ）、端末装置２ｂの呼制御部２６ａは、端末装置２ａとの通話パスを切断する（ステップＳ５５）。これにより、端末装置２ａとの個別の通話が終話となる。このように個別の通話が終話になると、端末装置２ｂの表示制御部２６ｃは、機能キー２３ａ−１のＬＥＤの表示を、赤色が遅く点滅した状態から赤色が点灯した状態に変更する。これにより、端末装置２ｂのユーザは、端末装置２ａとの個別の通話が終話になったことを識別することができる。
【００５９】
個別の通話が終話になり、操作入力部２３により会議通話に復帰するための操作入力が検出されると（ステップＳ５６：ＹＥＳ）、端末装置２ｂの呼制御部２６ａは、会議サーバ１の保留を解除し、会議サーバ１との間で音声データの送受信を再開することにより、会議通話に復帰する（ステップＳ５７）。
【００６０】
このように、本実施の形態によれば、着信応答動作に関する呼制御状態の変化に伴って機能キー２３ａの表示を変更することにより、端末装置２のユーザは、会議通話に参加している他の端末装置の状態を知ることができる。
【００６１】
以上説明したように、本実施の形態によれば、会議サーバ１から受信する端末装置リストに基づいて、当該会議通話に参加している端末装置２の状態を検出し、この検出結果が表示部２に表示することにより、端末装置２のユーザは当該会議通話に参加している端末装置２の状態を知ることができる。
【００６２】
なお、本実施の形態においては、４つの端末装置２ａ〜２ｄにより会議通話を行うようにしたが、会議通話に参加する端末装置の数量は４つに限定されず、適宜自由に設定することができる。
【産業上の利用可能性】
【００６３】
本発明は、同時に複数の装置と音声データの送受信を行うことができるシステムや端末装置に適用することができる。
【図面の簡単な説明】
【００６４】
【図１】本発明に係る会議システムの構成を示す模式図である。
【図２】会議サーバの構成を示すブロック図である。
【図３】端末装置の構成を示すブロック図である。
【図４】会議システムの全体の動作を示すタイミングチャートである。
【図５】操作入力部２３および表示部２４の一例を示す図である。
【図６】会議通話中の発信動作を示すフローチャートである。
【図７】会議通話中の着信応答動作を示すフローチャートである。
【符号の説明】
【００６５】
１…会議サーバ、２，２ａ〜２ｄ…端末装置、３…ＳＩＰサーバ、４…ネットワーク、１１ａ〜１１ｄ…Ｉ／Ｆ部、１１ａ−１〜１１ｄ−１…通信回線、１２…編集処理部、１３…制御部、１３ａ…動作制御部、１３ｂ…リスト生成部、２１…Ｉ／Ｆ部、２１ａ…通信回線、２２…音声処理部、２３…操作入力部、２３ａ，２３ａ−１〜２３ａ−４…機能キー、２４…表示部、２４ａ…ＬＣＤ、２５…記憶部、２５ａ…制御データ、２５ｂ…端末装置リスト、２５ｃ…プログラム、２６…制御部、２６ａ…呼制御部、２６ｂ…検出部、２６ｃ…表示制御部、２７…ＨＳ、２７ａ…受話器、２７ｂ…送話器、２８…ＳＰ。
【図１】
2008252830.tif 000003
【図２】
2008252830.tif 000004
【図３】
2008252830.tif 000005
【図４】
2008252830.tif 000006
【図５】
2008252830.tif 000007
【図６】
2008252830.tif 000008
【図７】
2008252830.tif 000009